(57)【要約】【課題】ユーザが望む空間プランを速やかに提案する。【解決手段】空間プラン提案システム１は、ユーザからの入力を受け付けることで、感性語の評価値を取得する入力部１０と、空間における１以上の照明器具の配置パターンと、空間の照明シーンを形成するための１以上の照明器具の調光パターンと、１以上の感性語の各々の評価値に基づいた評価情報とが対応付けられた空間画像を、複数有するデータベース部２２と、入力部１０によって取得された感性語の評価値から感性空間特徴を特定し、特定した感性空間特徴に基づく評価情報が対応付けられた空間画像を第１提案画像としてデータベース部２２から抽出する抽出部２４と、第１提案画像を表示する表示部３０とを備える。【選択図】図１
2019175019.tif 000002
【特許請求の範囲】
【請求項１】
ユーザからの入力を受け付けることで、感性語の評価値を取得する入力部と、
空間における１以上の照明器具の配置パターンと、前記空間の照明シーンを形成するための前記１以上の照明器具の調光パターンと、１以上の感性語の各々の評価値に基づいた評価情報とが対応付けられた空間画像を、複数有するデータベース部と、
前記入力部によって取得された感性語の評価値から感性空間特徴を特定し、特定した感性空間特徴に基づく評価情報が対応付けられた空間画像を第１提案画像として前記データベース部から抽出する抽出部と、
前記第１提案画像を表示する表示部とを備える
空間プラン提案システム。
【請求項２】
前記抽出部は、さらに、前記第１提案画像と前記配置パターンが同じで、かつ、前記調光パターンが異なる１以上の空間画像を１以上の第２提案画像として抽出し、
前記表示部は、さらに、前記１以上の第２提案画像を表示する
請求項１に記載の空間プラン提案システム。
【請求項３】
前記データベース部が有する複数の空間画像は、１以上の感性語の各々の評価値で形成される感性空間において、前記評価情報に基づいて決定される空間座標に対応しており、
前記抽出部は、前記入力部によって取得された感性語の評価値に対応する空間座標を前記感性空間特徴として算出し、前記データベース部が有する複数の空間画像の各々の空間座標のうち、算出した空間座標に最も近い空間座標に対応する空間画像を前記第１提案画像として抽出する
請求項１又は２に記載の空間プラン提案システム。
【請求項４】
前記抽出部は、さらに、算出した空間座標から所定範囲内に位置する空間座標に対応する１以上の空間画像の中から、前記第１提案画像と前記配置パターンが異なる空間画像を第３提案画像として抽出し、
前記表示部は、さらに、前記第３提案画像を表示する
請求項３に記載の空間プラン提案システム。
【請求項５】
前記入力部は、さらに、前記ユーザからの入力を受け付けることで、指定シーンを取得し、
前記抽出部は、前記データベース部が有する複数の空間画像のうち、前記指定シーンが対応付けられた１以上の空間画像の中から、前記第１提案画像を抽出する
請求項１〜４のいずれか１項に記載の空間プラン提案システム。
【請求項６】
請求項１〜５のいずれか１項に記載の空間プラン提案システムと、
前記第１提案画像に対応付けられた配置パターンを構成する１以上の照明器具の属性情報を提示する提示部とを備える
設計支援システム。
【請求項７】
空間における１以上の照明器具の配置パターンと、前記空間の照明シーンを形成するための前記１以上の照明器具の調光パターンと、１以上の感性語の各々の評価値に基づいた評価情報とが対応付けられた空間画像を、複数有するデータベース部と、
入力された感性語の評価値から感性空間特徴を特定し、特定した感性空間特徴に基づく評価情報が対応付けられた空間画像を提案画像として前記データベース部から抽出する抽出部とを備える
情報処理装置。
【発明の詳細な説明】
【技術分野】
【０００１】
本発明は、空間プラン提案システム、設計支援システム及び情報処理装置に関する。
【背景技術】
【０００２】
例えば、特許文献１には、ユーザが照明シーンを設定し、設定した照明シーンを光源に実現させるコントローラが開示されている。
【先行技術文献】
【特許文献】
【０００３】
【特許文献１】特表２０１１−５１９１２８号公報
【発明の概要】
【発明が解決しようとする課題】
【０００４】
上記従来のコントローラでは、ユーザの望みに応じて照明シーンを変更することができる。しかしながら、既に設置された光源の配置を変更することは困難であり、ユーザが望む照明シーンを実現することができない場合がある。また、ユーザが望む照明シーンを実現するための具体的な光源の種類、個数及び配置を特定することも困難であり、結果としてユーザが望む照明シーンを実現することが難しい。
【０００５】
そこで、本発明は、ユーザが望む空間プランを速やかに提案することができる空間プラン提案システム、設計支援システム及び情報処理装置を提供することを目的とする。
【課題を解決するための手段】
【０００６】
上記目的を達成するため、本発明の一態様に係る空間プラン提案システムは、ユーザからの入力を受け付けることで、感性語の評価値を取得する入力部と、空間における１以上の照明器具の配置パターンと、前記空間の照明シーンを形成するための前記１以上の照明器具の調光パターンと、１以上の感性語の各々の評価値に基づいた評価情報とが対応付けられた空間画像を、複数有するデータベース部と、前記入力部によって取得された感性語の評価値から感性空間特徴を特定し、特定した感性空間特徴に基づく評価情報が対応付けられた空間画像を第１提案画像として前記データベース部から抽出する抽出部と、前記第１提案画像を表示する表示部とを備える。
【０００７】
また、本発明の一態様に係る設計支援システムは、上記空間プラン提案システムと、前記第１提案画像に対応付けられた配置パターンを構成する１以上の照明器具の属性情報を提示する提示部とを備える。
【０００８】
また、本発明の一態様に係る情報処理装置は、空間における１以上の照明器具の配置パターンと、前記空間の照明シーンを形成するための前記１以上の照明器具の調光パターンと、１以上の感性語の各々の評価値に基づいた評価情報とが対応付けられた空間画像を、複数有するデータベース部と、入力された感性語の評価値から感性空間特徴を特定し、特定した感性空間特徴に基づく評価情報が対応付けられた空間画像を提案画像として前記データベース部から抽出する抽出部とを備える。
【発明の効果】
【０００９】
本発明によれば、ユーザが望む空間プランを速やかに提案することができる。
【図面の簡単な説明】
【００１０】
【図１】図１は、実施の形態１に係る空間プラン提案システムの構成を示すブロック図である。
【図２】図２は、実施の形態１に係る空間プラン提案システムのデータベース部が有する空間特徴リストを示す図である。
【図３】図３は、実施の形態１に係る空間プラン提案システムのデータベース部が有する評価値リストを示す図である。
【図４】図４は、実施の形態１に係る空間プラン提案システムのデータベース部が有する点灯パターンリストを示す図である。
【図５】図５は、実施の形態１に係る空間プラン提案システムの動作を示すフローチャートである。
【図６】図６は、実施の形態１に係る空間プラン提案システムにおいて、ユーザからの感性語の評価値の入力例を示す図である。
【図７】図７は、実施の形態１に係る空間プラン提案システムにおいて用いられる感性空間の一例を示す図である。
【図８】図８は、実施の形態１に係る空間プラン提案システムにおいて、表示部に表示される空間画像の一例を示す図である。
【図９】図９は、実施の形態２に係る設計支援システムの構成を示すブロック図である。
【発明を実施するための形態】
【００１１】
以下では、本発明の実施の形態に係る空間プラン提案システム、設計支援システム及び情報処理装置について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１３】
（実施の形態１）
［概要］
まず、実施の形態１に係る空間プラン提案システムの概要について説明する。
【００１４】
本実施の形態に係る空間プラン提案システムは、ユーザに空間プランを提案する。空間プランは、空間内で使用される照明器具、家具、家電製品などの種類及び配置並びに使用シーンを示す情報である。
【００１５】
空間は、例えば、ユーザの居住空間である。居住空間には、一般的な住居の室内空間だけでなく、学校又は病院などの室内空間も含まれる。また、居住空間には、仕事場などの作業空間、又は、自動車などの乗り物内の空間も含まれる。空間は、屋内の空間だけでなく、屋外の空間であってもよい。
【００１６】
ところで、照明器具、家具、家電製品などの種類及び配置は、簡単に変更することができず、使用期間も長期にわたる。このため、空間プランの設計段階において、ユーザの要望が満たされていることが肝心である。
【００１７】
一方で、ユーザは、必ずしも自らの要望を設計者に的確に説明することができるとは限らない。また、ユーザは、要望を明確に把握できていないこともある。このため、ユーザの要望を的確に引き出すためのシステムが求められる。
【００１８】
本実施の形態に係る空間プラン提案システムは、ユーザが望む空間プランを速やかに提案することができる。空間プランが提案されることにより、ユーザは、自らの要望が明らかになり、要望に合った空間プランの設計が可能になる。
【００１９】
［構成］
次に、本実施の形態に係る空間プラン提案システムの構成について、図１を用いて説明する。図１は、本実施の形態に係る空間プラン提案システム１の構成を示すブロック図である。
【００２０】
図１に示すように、空間プラン提案システム１は、入力部１０と、情報処理装置２０と、表示部３０とを備える。情報処理装置２０は、データベース部２２と、抽出部２４とを備える。
【００２１】
入力部１０は、ユーザからの入力を受け付けるユーザインタフェースである。入力部１０は、ユーザからの入力を受け付けることで、感性語の評価値を取得する。
【００２２】
感性語は、外界の刺激に対する心理的感情を表現する用語である。本実施の形態では、感性語は、提案対象の空間を表す空間画像を見たときのユーザの印象を示す用語である。感性語には、例えば「明るい」、「派手な」、「美しい」などが含まれるが、これらに限らない。
【００２３】
例えば、入力部１０は、予め設定された複数の感性語の各々に対する評価値をユーザに入力させる。具体的には、入力部１０は、複数の感性語をユーザに提示し、複数の感性語の各々に対する評価値を入力させる。なお、複数の感性語は、例えば、照明環境を評価するのに適した用語として予め抽出及びグループ化された用語の中から選択された代表的な複数の用語である。感性語の提示は、例えば、表示部３０による表示によって行われてもよく、スピーカ（図示せず）などによる音声出力として行われてもよい。
【００２４】
評価値は、空間画像に対して感性語が当てはまる程度を数値化したものである。入力部１０は、例えば、ＳＤ（Semantic Differential）法によって評価値を入力させる。具体的には、入力部１０は、対義関係にある一対の感性語を複数対、ユーザに提示し、一対の感性語に対する評価をユーザに入力させる。ＳＤ法における入力は、５段階又は７段階などの複数の段階で行われるが、これに限らない。例えば、ＳＤ法では、「０〜１００」などの予め定められた範囲の数値が入力されてもよい。
【００２５】
評価値は、ＳＤ法における入力に合わせて、例えば「１〜５」、「１〜７」又は「−３〜＋３」などの範囲で表される。あるいは、評価値は、「０〜１００」又は「０〜１」の範囲で表されてもよい。また、入力部１０は、評価値をテキスト（数値）で直接入力させてもよい。あるいは、入力部１０は、評価値の範囲で操作可能なスライダーなどのＧＵＩオブジェクトを表示させ、ユーザに操作させることで評価値の入力を受け付けてもよい。
【００２６】
本実施の形態では、入力部１０は、さらに、ユーザからの入力を受け付けることで、指定シーンを取得する。指定シーンは、ユーザが望む空間の使用状況である。本実施の形態では、指定シーンは、予め設定された複数の照明シーンの中から選択される。
【００２７】
照明シーンは、空間に配置された１以上の照明器具が発する光によって形成されるシーンである。照明シーンには、例えば「くつろぎ」、「食事」などが含まれるが、これらに限らない。例えば、入力部１０は、複数の照明シーンを選択肢としてユーザに提示し選択させることで、選択された照明シーンを指定シーンとして取得する。
【００２８】
入力部１０は、例えば、キーボード又はマウスなどの入力装置である。あるいは、入力部１０は、スマートフォン又はタブレット端末などが有するタッチパネルであってもよい。
【００２９】
情報処理装置２０は、入力部１０が取得した情報を処理することで、ユーザに提案する空間プランを決定する。情報処理装置２０は、例えば、プログラムが格納された不揮発性メモリ、プログラムを実行するための一時的な記憶領域である揮発性メモリ、入出力ポート、プログラムを実行するプロセッサなどで実現される。
【００３０】
データベース部２２は、複数の空間画像を有する。複数の空間画像の各々には、空間における１以上の照明器具の配置パターンと、空間の照明シーンを形成するための１以上の照明器具の調光パターンと、１以上の感性語の各々の評価値に基づいた評価情報とが対応付けられている。
【００３１】
複数の空間画像はそれぞれ、対応する照明シーンが形成された空間を表示する画像である（図８を参照）。複数の空間画像はそれぞれ、二次元の静止画であるが、動画像であってもよい。複数の空間画像の各々が、ユーザに提案される空間プランの候補である。本実施の形態では、空間プランと空間画像とは、一対一で対応している。
【００３２】
あるいは、空間プランは、複数枚の空間画像のセットに対応していてもよい。例えば、空間画像のセットは、１以上の照明器具の配置が同じで、かつ、点灯パターンが同じである空間を異なる視点から見た画像のセットである。
【００３３】
複数の空間画像は、互いに異なる画像である。具体的には、複数の空間画像には、配置パターン及び調光パターンの少なくとも一方が異なる空間画像が含まれる。例えば、複数の空間画像には、配置パターンが同じで、かつ、調光パターンが異なる複数の空間画像が含まれる。複数の空間画像にはそれぞれ、固有の識別番号（画像ＩＤ）が付されている。
【００３４】
データベース部２２は、例えば、空間特徴リストを有する。図２は、本実施の形態に係る空間プラン提案システム１のデータベース部２２が有する空間特徴リストの一例を示す図である。空間特徴リストは、空間の物理的な空間特徴を空間画像毎に示す情報である。
【００３５】
図２に示すように、空間特徴リストでは、空間画像に固有の画像ＩＤ毎に、空間内の配光パターン、光束、色温度、壁色、天井色、床色、アクセント色及び床面照度などが物理的な空間特徴として対応付けられている。物理的な空間特徴は、例えば、設計者が空間を設計するための情報であり、図２に示す例に限らない。例えば、物理的な空間特徴は、空間に配置されている１以上の照明器具及び１以上の家具などの種別が含まれていてもよい。設計者は、空間を設計する際に、空間特徴リストを参照することにより、空間の内装、照明器具及び家具の準備を容易に行うことができる。
【００３６】
データベース部２２は、例えば、評価値リストを有する。図３は、本実施の形態に係る空間プラン提案システム１のデータベース部２２が有する評価値リストの一例を示す図である。
【００３７】
評価値リストは、空間画像毎に、１以上の感性語の各々の評価値に基づく評価情報を示すリストである。具体的には、図３に示すように、評価値リストは、画像ＩＤ毎に、１以上の感性語の各々に対して予め設定された評価値を示す情報である。つまり、本実施の形態における評価情報は、評価値そのものである。
【００３８】
評価値リストには、「明るい」、「派手な」などの複数の感性語が含まれる。これらの感性語は、入力部１０によってユーザに評価値を入力させるために予め設定された感性語である。
【００３９】
評価値リストは、例えば、予め複数の被験者に対して空間画像を提示し、提示した空間画像に対する主観的な評価を行うことで生成される。例えば、年代、性別、及び、生活に対する考え方などが異なる複数の被験者に対して、複数の空間画像を提示し、複数の空間画像の各々に対する感性語毎の評価値を収集する。被験者の人数は、多い程良い。例えば、被験者の人数は１０人以上である。収集した感性語毎の評価値を、空間画像毎に平均化することで、図３に示す評価値リストが生成される。
【００４０】
このとき、空間画像に対する嗜好の評価も行わせてもよい。嗜好の評価は、例えば「好き」と「嫌い」とを用いたＳＤ法によって行われる。複数の被験者による嗜好の評価値を空間画像毎に平均化することで、空間画像毎の嗜好の評価値が得られる。嗜好の評価値は、例えば、図３に示す評価値リストに含まれてもよい。あるいは、嗜好の評価値は、図３に示す評価値リストとは別のデータとして管理されてもよい。
【００４１】
なお、データベース部２２は、収集した被験者毎の感性語の評価値を全て又は一部を有してもよい。これにより、評価値リストの更新を行うことができる。嗜好の評価値についても同様である。
【００４２】
あるいは、データベース部２２は、評価値リストとして、評価値の平均値ではなく、感性空間における空間座標を画像ＩＤ毎に示してもよい。つまり、評価値リストが示す評価情報は、空間座標であってもよい。感性空間は、複数の感性語の個数をｎ個とした場合に、ｎ次元の空間で表される。本実施の形態では、主成分分析によってｎ次元の空間を二次元又は三次元の空間に変換したものを感性空間とする。
【００４３】
評価値リストに含まれる空間画像毎の評価値（ｎ次元ベクトル）に対して、主成分負荷量を適用することで、各空間画像の感性空間内での位置が得られる。つまり、空間画像毎に、感性空間における空間座標が特定される。
【００４４】
主成分負荷量は、圧縮後の空間をｋ次元とした場合、ｎ×ｋの行列で表される。主成分負荷量は、評価値リストに含まれるデータを用いて主成分分析を行うことによって生成される。データベース部２２は、感性空間特徴を求めるためのパラメータとして主成分負荷量を有する。これにより、評価値リストを利用した主成分分析を都度行わなくてよくなるので、空間プランの提案に要する演算量を少なくすることができる。
【００４５】
このように、主成分負荷量と空間画像毎の評価値とを用いて空間画像毎の空間座標が求められる。このとき、空間画像の評価値が変更されない限り、空間画像の空間座標も変わらない。したがって、空間画像毎の空間座標を予め算出しておくことができる。データベース部２２は、空間画像毎の空間座標を示す座標リストを有してもよい。例えば、座標リストでは、空間画像の画像ＩＤと、二次元の座標（ｘ，ｙ）又は三次元の座標（ｘ，ｙ，ｚ）とが対応付けられている。この場合、データベース部２２は、評価値リストを有しなくてもよい。
【００４６】
なお、データベース部２２が評価値リストを有する場合、新しい空間画像を追加する場合などに主成分分析をやり直すことができる。また、表示部３０が空間画像を表示する際に、空間画像とともに感性語の評価値も表示することができる。
【００４７】
データベース部２２は、例えば、点灯パターンリストを有する。図４は、本実施の形態に係る空間プラン提案システム１のデータベース部２２が有する点灯パターンリストを示す図である。
【００４８】
図４に示すように、点灯パターンリストは、１以上の照明器具の配置パターンと空間画像との組み合わせ毎に、１以上の照明器具の点灯パターンを示す情報である。複数の配置パターンにはそれぞれ、固有の識別番号（配置ＩＤ）が付されている。点灯パターンは、１以上の照明器具の各々の明るさ及び色の少なくとも一方を示している。
【００４９】
点灯パターンには、当該点灯パターンによって空間に形成される照明シーンのシーン名が対応付けられている。なお、同じ配置ＩＤに対して、シーン名が同じで点灯パターンが異なるものが複数対応付けられていてもよい。
【００５０】
複数の空間画像のうち、照明器具の配置パターンが同じである場合、同じ配置ＩＤが対応付けられる。同じ配置ＩＤが対応付けられた複数の空間画像は、点灯パターンが異なっている。同じ配置ＩＤが対応付けられた複数の空間画像は、表示部３０に同時に表示される場合がある。
【００５１】
なお、データベース部２２は、図４に示す点灯パターンリストと、図２に示す空間特徴リストとを統合した１つのリストを有してもよい。
【００５２】
データベース部２２は、ＨＤＤ（Hard Disk Drive）又は半導体メモリなどの不揮発性メモリで実現される。
【００５３】
抽出部２４は、入力部１０によって取得された感性語から感性空間特徴を特定し、特定した感性空間特徴に基づく評価情報が対応付けられた空間画像を第１提案画像としてデータベース部２２から抽出する。本実施の形態では、感性空間特徴は、１以上の感性語の各々の評価値で形成される感性空間における空間座標である。
【００５４】
具体的には、抽出部２４は、入力部１０によって取得された感性語の評価値（以下、入力評価値と記載）に対応する空間座標を算出する。例えば、評価値が入力された感性語がｎ個である場合、入力評価値は、ｎ次元ベクトルで表される。抽出部２４は、ｎ次元ベクトルの入力評価値に対して主成分負荷量を適用することで、入力評価値に対応する空間座標を算出する。抽出部２４は、データベース部２２が有する複数の空間画像の各々の空間座標のうち、算出した空間座標に最も近い空間座標に対応する空間画像を第１提案画像として抽出する。
【００５５】
本実施の形態では、抽出部２４は、データベース部２２が有する複数の空間画像のうち、指定シーンが対応付けられた１以上の空間画像の中から、第１提案画像を抽出する。これにより、ユーザが望む指定シーンを優先して空間プランを提案することができる。
【００５６】
本実施の形態では、抽出部２４は、さらに、第１提案画像と配置パターンが同じで、かつ、調光パターンが異なる１以上の空間画像を１以上の第２提案画像として抽出する。これにより、同じ配置パターンで異なるシーンの空間画像が表示部３０に表示されるので、ユーザは、指定シーン以外のシーンの良し悪しの判断を行うことができる。
【００５７】
また、抽出部２４は、さらに、算出した空間座標から所定範囲内に位置する空間座標に対応する１以上の空間画像の中から、第１提案画像と配置パターンが異なる空間画像を第３提案画像として抽出してもよい。例えば、第１提案画像がユーザの望むものではなかった場合、異なる配置パターンの空間画像をユーザに提案することができるので、ユーザの望みに合った空間画像が提案される可能性が高くなる。
【００５８】
なお、抽出部２４は、入力評価値に対応する空間座標に近い順序で、複数の空間座標に対応付けられた複数の空間画像を第１提案画像として順に抽出してもよい。抽出する空間画像の枚数は、予め設定されていてもよく、入力部１０を介してユーザに入力させてもよい。
【００５９】
また、例えば、抽出部２４は、ユーザからの指示を受け付けた場合に、２枚目の第１提案画像を抽出してもよい。例えば、最初の第１提案画像がユーザに気に入られなかった場合、入力評価値に対応する空間座標に２番目に近い空間座標が対応付けられた空間画像を、２枚目の第１提案画像として抽出してもよい。あるいは、抽出部２４は、入力評価値に対応する空間座標を中心とする所定の円形（二次元の空間の場合）又は球形（三次元の空間の場合）の範囲内に属する空間座標が対応付けられた全ての空間画像を、複数の第１提案画像として抽出してもよい。
【００６０】
複数の第１提案画像を抽出する際にも、指定シーンが対応付けられた空間画像のみを対象としてもよい。あるいは、入力評価値に対応する空間座標に最も近い空間画像の配置パターンと同じ配置パターンが対応付けられた空間画像のみを対象としてもよい。
【００６１】
抽出部２４は、例えば、プロセッサによって実行されるソフトウェアで実現される。あるいは、抽出部２４は、複数の回路素子を含む電子回路などのハードウェアで実現されてもよい。
【００６２】
表示部３０は、抽出部２４によって抽出された画像を表示する。具体的には、表示部３０は、上述した第１提案画像、第２提案画像及び第３提案画像を表示する。表示部３０は、第１提案画像、第２提案画像及び第３提案画像を一画面で同時に表示してもよい。あるいは、表示部３０は、一画面内では、第１提案画像、第２提案画像及び第３提案画像の１つのみを表示してもよい。この場合、各画像は、スクロール又はスワイプなどによって切り替えられてもよい。
【００６３】
表示部３０は、例えば、液晶表示装置又は有機ＥＬ（Electroluminescence）表示装置などで実現される。あるいは、表示部３０は、プリンタなどで実現されてもよい。つまり、表示部３０による表示には、紙などの記録媒体に対して画像を印刷することによる表示も含まれてもよい。
【００６４】
空間プラン提案システム１は、例えば、タブレット端末などのように、１つの単体の装置として実現されてもよい。具体的には、入力部１０、情報処理装置２０及び表示部３０が１つの筐体の内部又は外表面に設けられていてもよい。あるいは、入力部１０、情報処理装置２０及び表示部３０の少なくとも１つは、別体で構成されていてもよく、互いに通信可能であってもよい。
【００６５】
［動作］
続いて、本実施の形態に係る空間プラン提案システム１の動作について、図５を用いて説明する。図５は、本実施の形態に係る空間プラン提案システム１の動作を示すフローチャートである。
【００６６】
本実施の形態に係る空間プラン提案システム１は、例えば、空間の施工又はリフォームを行う前に利用される。具体的には、ユーザがショールーム又は工務店などで空間プランの作成又は再検討を行う際に、空間プラン提案システム１が利用される。
【００６７】
まず、図５に示すように、入力部１０は、ユーザからの入力を受け付けることで、指定シーンを取得する（Ｓ１０）。例えば、入力部１０は、複数のシーンをユーザに提示し、提示した複数のシーンの中からユーザに１つ以上のシーンを選択させることで、選択されたシーンを指定シーンとして取得する。
【００６８】
なお、入力を行う人物は、居住者などの空間のユーザ本人であるが、これに限らない。例えば、ショールーム又は工務店のオペレータなどが、居住者からの意見を聞きながら入力を行ってもよい。
【００６９】
次に、入力部１０は、ユーザからの入力を受け付けることで、感性語の評価値を取得する（Ｓ１２）。例えば、ユーザは、指定シーンをイメージしながら、自身が望む空間の雰囲気にあった感性語の評価値を入力する。これにより、入力部１０は、例えば、図６に示す入力評価値を取得する。なお、図６は、本実施の形態に係る空間プラン提案システム１において、ユーザからの感性語の評価値の入力例を示す図である。
【００７０】
次に、抽出部２４は、取得された入力評価値に基づいて感性空間における空間座標を算出する（Ｓ１４）。具体的には、抽出部２４は、入力評価値に主成分負荷量を適用することで、空間座標を算出する。このとき、算出結果が感性空間内に位置しない可能性がある。算出結果が感性空間内に位置しない場合、感性空間に射影を行う。また、主成分負荷量の算出を行う際に用いたデータ（具体的には、評価値リストに含まれる各評価値）に正規化が行われている場合、入力評価値も同様に正規化処理を行う。
【００７１】
図７は、本実施の形態に係る空間プラン提案システム１において用いられる感性空間の一例を示す図である。図７では、二次元の感性空間を示している。図７における黒丸のプロットは、データベース部２２が有する複数の空間画像の各々の空間座標９４を示している。複数の空間画像の各々の空間座標９４は、例えば、図３に示す評価値リストを用いて主成分分析を行うことで算出される。また、図７には、入力評価値に対応する空間座標９０をバツ（×）印で表している。
【００７２】
次に、抽出部２４は、入力評価値に対応する空間座標９０と、指定シーンに一致する複数の空間画像の各々の空間座標９４との距離を算出する（Ｓ１６）。距離は、例えばユークリッド距離であるが、これに限らない。
【００７３】
その後、抽出部２４は、入力評価値に対応する空間座標９０に最も近い空間座標９２が対応付けられた空間画像を提案画像として抽出する（Ｓ１８）。抽出する空間画像の枚数は、１枚でもよく、複数枚でもよい。抽出する枚数は、入力部１０を介してユーザに選択させてもよい。
【００７４】
さらに、抽出部２４は、抽出した提案画像と配置ＩＤが同じ空間画像を全て抽出する（Ｓ２０）。
【００７５】
次に、表示部３０は、抽出した空間画像と、指定シーンを示すシーン名を表示する（Ｓ２２）。図８は、本実施の形態に係る空間プラン提案システム１において、表示部３０に表示される空間画像の一例を示す図である。
【００７６】
表示部３０には、例えば、図８の（ａ）に示すように、抽出部２４によって抽出された空間画像が提案画像として表示される。このとき、表示部３０は、空間画像だけでなく、シーン名及びその他の物理的な特徴を合わせて表示してもよい。例えば、図８の（ａ）には、シーン名と、配置ＩＤ及び照明ＩＤ、並びに、各照明機器の調光率が表示されている。なお、表示部３０は、空間画像のみを表示してもよい。
【００７７】
さらに、本実施の形態では、図８の（ｂ）に示すように、表示部３０は、図８の（ａ）に示す空間画像と配置パターンが同じ空間画像を表示する。図８の（ｂ）では、配置パターンが同じで、シーンが異なる２枚の空間画像を示している。図８の（ｂ）に示す２枚の空間画像は、調光パターンが異なっている。
【００７８】
図８の（ａ）及び（ｂ）に示す３枚の空間画像は、同一画面に同時に表示されてもよく、一画面には１枚の空間画像のみが表示されてもよい。例えば、表示部３０は、ユーザ操作に基づいて複数の空間画像を１枚ずつ切り替えて表示してもよい。
【００７９】
さらに、表示部３０は、図８の（ｃ）に示すように、配置パターンが異なる空間画像を表示してもよい。例えば、図８の（ａ）に示す空間画像を表示部３０が表示した後、ユーザが気に入らなかった場合などに、表示部３０は、配置パターンが異なる空間画像を表示する。
【００８０】
［効果など］
以上のように、本実施の形態に係る空間プラン提案システム１は、ユーザからの入力を受け付けることで、感性語の評価値を取得する入力部１０と、空間における１以上の照明器具の配置パターンと、空間の照明シーンを形成するための１以上の照明器具の調光パターンと、１以上の感性語の各々の評価値に基づいた評価情報とが対応付けられた空間画像を、複数有するデータベース部２２と、入力部１０によって取得された感性語の評価値から感性空間特徴を特定し、特定した感性空間特徴に基づく評価情報が対応付けられた空間画像を第１提案画像としてデータベース部２２から抽出する抽出部２４と、第１提案画像を表示する表示部３０とを備える。
【００８１】
このように、データベース部２２が有する複数の画像には、感性語の評価値に基づいた評価情報が対応付けられている。ユーザが望む感性語の評価値に基づいて感性空間特徴が特定され、特定した感性空間特徴に基づく評価情報が対応付けられた空間画像が抽出されて表示されるので、ユーザが望む空間プランを速やかに提案することができる。例えば、ユーザに専門知識がない場合であっても、ユーザが望む空間の雰囲気を入力するだけで、好みに合った空間画像が表示される。また、空間プランの決定に要する時間の短縮化も図ることができる。
【００８２】
また、例えば、抽出部２４は、さらに、第１提案画像と配置パターンが同じで、かつ、調光パターンが異なる１以上の空間画像を１以上の第２提案画像として抽出する。表示部３０は、さらに、１以上の第２提案画像を表示する。
【００８３】
これにより、同じ配置パターンで、異なる調光パターンの提案画像が表示されるので、空間の様々な使用シーンを確認することができる。１つのシーンのみを確認する場合に比べて他の様々なシーンを確認することができるので、ユーザの望みに合った空間プランを決定しやすくなる。
【００８４】
また、例えば、データベース部２２が有する複数の空間画像は、１以上の感性語の各々の評価値で形成される感性空間において、評価情報に基づいて決定される空間座標に対応している。抽出部２４は、入力部１０によって取得された感性語の評価値に対応する空間座標を感性空間特徴として算出し、データベース部２２が有する複数の空間画像の各々の空間座標のうち、算出した空間座標に最も近い空間座標に対応する空間画像を第１提案画像として抽出する。
【００８５】
これにより、感性空間において最も近い空間座標に対応する空間画像が第１提案画像として抽出されるので、ユーザの望みに有った空間画像が抽出され表示されやすい。したがって、ユーザが望む空間プランを速やかに提案することができる。
【００８６】
また、例えば、抽出部２４は、さらに、算出した空間座標から所定範囲内に位置する空間座標に対応する１以上の空間画像の中から、第１提案画像と配置パターンが異なる空間画像を第３提案画像として抽出する。表示部３０は、さらに、第３提案画像を表示する。
【００８７】
これにより、配置パターンが異なる空間画像が抽出されて表示されるので、最初に抽出された空間画像をユーザが気に入らない場合でも代替案として別の空間画像を提案することができる。この場合において、入力評価値に対応する空間座標に近い空間座標が対応付けられた空間画像が抽出され表示されるので、ユーザが望む空間プランを提案することができる。
【００８８】
また、例えば、入力部１０は、さらに、ユーザからの入力を受け付けることで、指定シーンを取得する。抽出部２４は、データベース部２２が有する複数の空間画像のうち、指定シーンが対応付けられた１以上の空間画像の中から、第１提案画像を抽出する。
【００８９】
これにより、データベース部２２が有する複数の空間画像のうち、ユーザに提案する空間画像の候補を絞ることができる。したがって、空間画像の抽出に要する演算量及び演算時間を少なくすることができる。また、例えば、空間プランを決定する際に、ユーザが重要視するシーンを指定させることで、ユーザの望みに合った空間画像が抽出され表示されやすくなる。したがって、ユーザが望む空間プランを速やかに提案することができる。
【００９０】
また、例えば、本実施の形態に係る情報処理装置２０は、空間における１以上の照明器具の配置パターンと、空間の照明シーンを形成するための１以上の照明器具の調光パターンと、１以上の感性語の各々の評価値に基づいた評価情報とが対応付けられた空間画像を、複数有するデータベース部２２と、入力された感性語の評価値から感性空間特徴を特定し、特定した感性空間特徴に基づく評価情報が対応付けられた空間画像を提案画像としてデータベース部２２から抽出する抽出部２４とを備える。
【００９１】
これにより、ユーザが望む空間プランを速やかに提案することを支援することができる。
【００９２】
（実施の形態２）
続いて、実施の形態２について説明する。
【００９３】
図９は、本実施の形態に係る設計支援システム１０１の構成を示すブロック図である。図９に示すように、設計支援システム１０１は、２つの操作端末１１０及び１２０を備える。
【００９４】
操作端末１１０は、空間のユーザによって操作される端末装置である。図９に示すように、操作端末１１０は、入力部１０と、情報処理装置２０と、表示部３０と、通信部４０とを備える。図９に示すように、操作端末１１０は、実施の形態１に係る空間プラン提案システム１を備えている。
【００９５】
通信部４０は、操作端末１２０の通信部５０と通信する。通信は、例えば、無線通信であるが、有線通信でもよい。無線通信は、例えば、Ｗｉ−Ｆｉ（登録商標）、Ｂｌｕｅｔｏｏｔｈ（登録商標）又はＺｉｇＢｅｅ（登録商標）などの無線通信規格に基づいて行われる。
【００９６】
本実施の形態では、通信部４０は、抽出部２４によって抽出された第１提案画像と、当該第１提案画像に対応付けられた配置パターンを構成する１以上の照明器具の属性情報とを通信部５０に送信する。なお、通信部４０は、属性情報のみを送信してもよい。
【００９７】
属性情報は、例えば、図３に示す空間の物理的な空間特徴を示す特徴情報である。具体的には、属性情報は、第１提案画像が示す空間を具体的に設計するときに必要となる照明器具、家具及び内装などを特定するための情報である。さらに、属性情報には、第１提案画像に対応付けられたシーンを実現するための調光パターンが含まれてもよい。
【００９８】
操作端末１２０は、例えば、空間プランの設計者又は施工業者などが使用する端末装置である。図９に示すように、操作端末１２０は、通信部５０と、提示部６０とを備える。
【００９９】
通信部５０は、操作端末１１０の通信部４０と通信する。具体的には、通信部５０は、操作端末１１０の通信部４０から第１提案画像及び属性情報を取得する。取得した第１提案画像及び属性情報は、例えば、ユーザ情報などに対応付けてメモリに記憶されてもよい。
【０１００】
提示部６０は、取得された属性情報を提示する。提示部６０は、例えば、表示部３０と同様に、第１提案画像を表示し、さらに属性情報を表示する。
【０１０１】
提示部６０は、例えば、液晶表示装置又は有機ＥＬ（Electroluminescence）表示装置などで実現される。あるいは、提示部６０は、プリンタなどで実現されてもよい。
【０１０２】
以上のように、本実施の形態に係る設計支援システム１０１では、空間プラン提案システム１と、第１提案画像に対応付けられた配置パターンを構成する１以上の照明器具の属性情報を提示する提示部６０とを備える。
【０１０３】
これにより、ユーザの望む空間を実現するための属性情報が提示されるので、ユーザとは直接対峙しない施工業者などが実際に設計する際に必要な情報を知ることができる。また、ユーザが居なくても、必要なタイミングで属性情報を提示することもできる。このように、設計支援システム１０１によれば、空間の設計を支援することができる。
【０１０４】
（その他）
以上、本発明に係る空間プラン提案システム、設計支援システム及び情報処理装置について、上記の実施の形態に基づいて説明したが、本発明は、上記の実施の形態に限定されるものではない。
【０１０５】
例えば、上記の実施の形態では、最初に指定シーンをユーザに入力させることで、複数の空間画像から提案画像を抽出する際の候補を絞る例を示したが、これに限らない。抽出部２４は、データベース部２２が有する全ての空間画像の中から提案画像を抽出してもよい。あるいは、入力部１０は、空間の物理的特徴をユーザに入力させてもよい。例えば、床、壁及び天井の色などをユーザに入力させ、抽出部２４は、入力された色の床、壁及び天井の空間画像から提案画像を抽出してもよい。
【０１０６】
また、例えば、抽出部２４は、複数の提案画像を抽出し、抽出した複数の提案画像をリスト化して表示部３０に表示させてもよい。例えば、表示部３０は、複数の提案画像のサムネイル画像を同一画面に表示し、ユーザに選択させてもよい。
【０１０７】
また、例えば、抽出部２４は、第１提案画像のみを抽出してもよい。例えば、抽出部２４は、第１提案画像と配置パターンが同じで、かつ、調光パターンが異なる空間画像を抽出しなくてもよい。また、例えば、抽出部２４は、第１提案画像とは配置パターンが異なる空間画像を抽出しなくてもよい。
【０１０８】
また、例えば、抽出部２４は、主成分負荷量を用いた空間座標を算出しなくてもよい。抽出部２４は、入力評価値と、空間画像に対応付けられた評価値とを直接比較してもよく、入力評価値に最も近い評価値が対応付けられた空間画像を抽出してもよい。
【０１０９】
また、例えば、データベース部２２は、図３に示す空間特徴リストを有しなくてもよい。
【０１１０】
また、上記実施の形態で説明した装置間の通信方法については特に限定されるものではない。装置間で無線通信が行われる場合、無線通信の方式（通信規格）は、例えば、ＺｉｇＢｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０１１１】
また、上記実施の形態において、特定の処理部が実行する処理を別の処理部が実行してもよい。また、複数の処理の順序が変更されてもよく、あるいは、複数の処理が並行して実行されてもよい。また、空間プラン提案システム及び設計支援システムが備える構成要素の複数の装置への振り分けは、一例である。例えば、一の装置が備える構成要素を他の装置が備えてもよい。また、空間プラン提案システム及び設計支援システムは、単一の装置として実現されてもよい。
【０１１２】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０１１３】
また、上記実施の形態において、抽出部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０１１４】
また、抽出部などの構成要素は、１つ又は複数の電子回路で構成されてもよい。１つ又は複数の電子回路は、それぞれ、汎用的な回路でもよいし、専用の回路でもよい。
【０１１５】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０１１６】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１１７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１８】
１  空間プラン提案システム
１０  入力部
２０  情報処理装置
２２  データベース部
２４  抽出部
３０  表示部
６０  提示部
９０、９２、９４  空間座標
１０１  設計支援システム
１１０、１２０  操作端末
【図１】
2019175019.tif 000003
【図２】
2019175019.tif 000004
【図３】
2019175019.tif 000005
【図４】
2019175019.tif 000006
【図５】
2019175019.tif 000007
【図６】
2019175019.tif 000008
【図７】
2019175019.tif 000009
【図８】
2019175019.tif 000010
【図９】
2019175019.tif 000011